(57)【特許請求の範囲】
【請求項１】
ポールの先端部に、ランプが装着されるランプソケット、及び、このランプソケットを覆うグローブを設けた屋外用照明装置において、
前記ポールと前記グローブとの取付部分に防水用パッキンを設け、前記グローブの下方には湿気の浸入を抑制する機能を有する通気性材で塞がれた通気孔を設け、
前記ポールの先端部に、前記ランプソケットを支持する支持体を設け、
前記グローブの底面開口から前記ランプソケットを挿入し、前記底面開口を前記支持体に密着させて前記グローブを前記支持体に取り付け、
前記ポールの先端部に設けた開口から引き出した電気ケーブルを前記支持体の開口を通して前記ランプソケットに接続すると共に、
前記防水用パッキンには、前記電気ケーブルを挿通する挿通孔と、前記ポールの先端部及び前記支持体の開口のそれぞれを閉塞する閉塞部とを設け、該防水用パッキンを、前記ポールの先端部と前記支持体との間に設け、
前記ポールの先端部の内側に蓋板を溶接すると共に、前記防水用パッキンには、前記蓋板の溶接個所を避ける凹みを設けた
ことを特徴とする屋外用照明装置。
【請求項２】
請求項１に記載の屋外用照明装置において、
前記防水用パッキンを、前記ポールの径よりも大きく形成し、前記防水用パッキンの縁を前記ポールの先端と前記支持体との間で挟み込んだ
ことを特徴とする屋外用照明装置。
【請求項３】
請求項１又は２に記載の屋外用照明装置において、
前記ポールの先端に固定される基部と、当該基部に固定され当該基部よりも縮径した連結筒部とを有するポールホルダを備え、
前記ポールの先端に前記ポールホルダの基部を固定し、当該ポールホルダの連結筒部に前記支持体を設けたことを特徴とする屋外用照明装置。
【請求項４】
請求項１乃至３のいずれかに記載の屋外用照明装置において、
前記グローブの表面に、肉厚を厚くした凸部及び／又は肉厚を薄くした凹部からなる絵柄を形成し、前記凸部及び／又は前記凹部と前記グローブの他の個所における光の透過率の差により、前記ランプの点灯時に、前記グローブの表面に形成した前記絵柄が視認されるようにしたことを特徴とする屋外用照明装置。
【発明の詳細な説明】
【技術分野】
【０００１】
本発明は、ポールの先端部にグローブを支持した屋外用照明装置に係り、特に、グローブ内部に湿気が籠るのを防止する技術に関する。
【背景技術】
【０００２】
従来、ポールの先端部にグローブを支持し、このグローブの内部にランプを装着した屋外用照明装置が知られている。この種の屋外用照明装置においては、グローブ内に水が浸入することが多々あり、そのために、グローブ内の水抜きを行うための水抜き穴が設けられていた（例えば、特許文献１参照）。
【特許文献１】特開平１０−２４１４１６号公報
【発明の開示】
【発明が解決しようとする課題】
【０００３】
しかしながら、グローブ内には、ポールとグローブとの取付部分や水抜き穴から、水や湿気の他にも塵や埃等が入り込み、これら塵や埃を定期的に清掃する必要が生じ、さらに、地面に立設したポールの内部を伝って、地面の湿気がグローブ内に籠る、という問題が生じる。
そこで、グローブを気密にすることで、水や塵、埃等の浸入を防止することができるものの、ランプの発熱による熱気が籠る、といった問題がある。
本発明は、上述した事情に鑑みてなされたものであり、グローブの防水を図りつつ、グローブ内に湿気や熱気が籠るのを防止できる屋外用照明装置を提供することを目的とする。
【課題を解決するための手段】
【０００４】
上記目的を達成するために、本発明は、ポールの先端部に、ランプが装着されるランプソケット、及び、このランプソケットを覆うグローブを設けた屋外用照明装置において、前記ポールと前記グローブとの取付部分に防水用パッキンを設け、前記グローブの下方には湿気の浸入を抑制する機能を有する通気性材で塞がれた通気孔を設け、前記ポールの先端部に、前記ランプソケットを支持する支持体を設け、前記グローブの底面開口から前記ランプソケットを挿入し、前記底面開口を前記支持体に密着させて前記グローブを前記支持体に取り付け、前記ポールの先端部に設けた開口から引き出した電気ケーブルを前記支持体の開口を通して前記ランプソケットに接続すると共に、前記防水用パッキンには、前記電気ケーブルを挿通する挿通孔と、前記ポールの先端部及び前記支持体の開口のそれぞれを閉塞する閉塞部とを設け、該防水用パッキンを、前記ポールの先端部と前記支持体との間に設け、前記ポールの先端部の内側に蓋板を溶接すると共に、前記防水用パッキンには、前記蓋板の溶接個所を避ける凹みを設けたことを特徴とする。
【０００６】
また本発明は、上記屋外用照明装置において、前記防水用パッキンを、前記ポールの径よりも大きく形成し、前記防水用パッキンの縁を前記ポールの先端と前記支持体との間で挟み込んだことを特徴とする。
【０００８】
また本発明は、上記屋外用照明装置において、前記ポールの先端に固定される基部と、当該基部に固定され当該基部よりも縮径した連結筒部とを有するポールホルダを備え、前記ポールの先端に前記ポールホルダの基部を固定し、当該ポールホルダの連結筒部に前記支持体を設けたことを特徴とする。
また本発明は、上記屋外用照明装置において、前記グローブの表面に、肉厚を厚くした凸部及び／又は肉厚を薄くした凹部からなる絵柄を形成し、前記凸部及び／又は前記凹部と前記グローブの他の個所における光の透過率の差により、前記ランプの点灯時に、前記グローブの表面に形成した前記絵柄が視認されるようにしたことを特徴とする屋外用照明装置を提供する。
【発明の効果】
【０００９】
本発明によれば、ポールとグローブとの結合部分に防水用パッキンを設けると共に、グローブの下方には湿気の浸入を抑制する機能を有する通気性材で塞がれた通気孔を設ける構成としたため、グローブの防水が図れると共に、ポールを伝った地中の湿気やランプ点灯時の熱気がグローブに籠ることが防止され、また、通気孔からグローブ内への湿気の流入も防止される。
【発明を実施するための最良の形態】
【００１０】
以下、図面を参照して本発明の実施形態について説明する。
図１は本実施形態に係る屋外用照明装置１の構成を示す図であり、図２は屋外用照明装置１の断面図である。
屋外用照明装置１は、屋外の地面に立設されたポール（支柱）２と、このポール２の先端にねじ１３により固定されてポール２の先端を構成するポールホルダ３と、このポールホルダ３の先端部５に結合される支持体７と、この支持体７に支持されたランプソケット９（図２参照）と、このランプソケット９を覆い支持体７に支持されたグローブ１１とを備えている。
【００１１】
ポールホルダ３は、図２に示すように、円筒状に形成され、その内部には電気部品（図示せず）等が収容されている。ポールホルダ３の先端には、このポールホルダ３の基部３Ａよりも縮径した筒状の連結筒部３Ｂが挿入・固定されている。上記基部３Ａがポール２の先端部に挿入されねじ１３によりポール２に固定される。
連結筒部３Ｂの先端部５には、上記支持体７が連結され、この支持体７にランプソケット９及びグローブ１１が支持されている。また、連結筒部３Ｂは、基部３Ａに連通しており、基部３Ａから引き出された電気ケーブルが連結筒部３Ｂを通して支持体７に導かれ、この支持体７に支持されたランプソケット９に接続される。
【００１２】
支持体７は、面内に適宜に開口１５が設けられた略皿状で、その中央部には、下面側にポール受け部７Ａが形成され、また、上面側にソケット取付部１７が一体形成されている。
ポール受け部７Ａには、ポールホルダ３の連結筒部３Ｂの先端部５が挿入され、ボルト１６により固定される。また、ソケット取付部１７には、ランプソケット９が取り付けられ、このランプソケット９には光源としてのランプ１９が装着される。
【００１３】
グローブ１１は、透光性の樹脂或いはガラスを、ランプ１９を覆う形状に形成されており、さらに、略皿状の支持体７に面接触するように略水平に形成された底面部１１Ａを有し、その底面部１１Ａがボルト２０により支持体７に締結されている。
また、グローブ１１の底面部１１Ａの略中央部には、ランプソケット９及びポール受け部７Ａが挿入される底面開口２１が形成されている。この底面開口２１の縁は、支持体７側に向けて突出するように折り曲げ形成されており、グローブ１１の取り付け時には、その底面開口２１の縁が支持体７の面上に設けられたパッキン２３に押し付けられ、これにより、グローブ１１の底面開口２１が密封される。
【００１４】
図３は、ポール２の先端を構成するポールホルダ３及び支持体７の連結部分を拡大して示す図である。
ポールホルダ３の連結筒部３Ｂの内部には、図３に示すように、先端部５から若干下がった位置に蓋板２５が縁部に沿って適宜の箇所で溶接されて固設されており、この蓋板２５と、支持体７のポール受け部７Ａとをボルト１６により締結することで支持体７がポールホルダ３に固定される。
蓋板２５、及び、支持体７のポール受け部７Ａには、それぞれ開口２５Ａ、２６が形成されており、ポールホルダ３の内部を延びる電気コードが、これらの開口２５Ａ、２６を通ってランプソケット９に導かれる。
【００１５】
また、図３に示すように、連結筒部３Ｂの蓋板２５と支持体７のポール受け部７Ａとの間には、防水用パッキン３０が設けられている。
図４は、防水用パッキン３０の構成を示す図であり、（Ａ）は上面図（平面図）、（Ｂ）は側面図、（Ｃ）は底面図である。なお、本実施形態では、防水用パッキン３０をポールホルダ３に取り付けたときに蓋板２５と接する面を防水用パッキン３０の底面と定義している。
図３及び図４に示すように、防水用パッキン３０は、上記ボルト１６が挿入される３つのボルト挿入孔３１が形成された胴部３３を有する。この胴部３３の上面には、ポールホルダ３（連結筒部３Ｂ）の先端開口よりも大きな径を有し、この先端開口を完全に覆う円板部３５が一体形成されている。これにより、防水用パッキン３０をポールホルダ３の先端部５に取り付けた際に、防水用パッキン３０の円板部３５の縁部３５Ａの全周がポールホルダ３の先端部５と支持体７のポール受け部７Ａとの間に挟み込まれ、ポールホルダ３の先端部が密封されることとなる。
【００１６】
また、防水用パッキン３０の胴部３３は、図４（Ｂ）及び図４（Ｃ）に示すように、隣り合うボルト挿入孔３１の間が切り欠かれて、これらボルト挿入孔３１の間に、径方向に凹む凹部３３Ａが形成されている。防水用パッキン３０をポールホルダ３の先端部５に取り付ける際には、図３に示すように、蓋板２５の溶接個所Ｓを凹部３３Ａにより避けて取り付けることで、蓋板２５の溶接個所Ｓによる防水用パッキン３０の浮き上がりを防止することができる。
【００１７】
さらに、この防水用パッキン３０の上面には、支持体７のポール受け部７Ａに形成された開口２６に嵌合して閉塞する支持体閉塞部３７を有し、また、底面側に、ポールホルダ３の蓋板２５に形成された開口２５Ａに嵌合して閉塞する蓋板閉塞部３８を有し、さらに、これら支持体閉塞部３７及び蓋板閉塞部３８を貫通する複数の電気コード挿通孔３９が形成されている。
したがって、この防水用パッキン３０により、図３に示すように、ポールホルダ３の蓋板２５の開口２５Ａが密閉されるため、ポール２及びポールホルダ３の内部を伝った地面の湿気が支持体７と支持体受け部７Ａに浸入するのが防止され、また、支持体７のポール受け部７Ａの開口２６が密閉されるため、グローブ１１の底面開口２１が完全に閉じられることとなる。
これにより、地面の湿気がポール２及びポールホルダ３の内部を伝ってグローブ１１に向かったとしても、防水用パッキン３０により遮られるため、地面の湿気がグローブ１１内に浸入することが防止される。
【００１８】
上記のように、ポールホルダ３の先端部に取り付けたグローブ１１を完全に密閉すると、ランプ１９の点灯時に発する熱がグローブ１１内に籠ってしまう。そこで、本実施形態では、グローブ１１に通気孔４１を設けている。この通気孔４１は、風雨に曝されるのを極力防止するために、グローブ１１の底面部１１Ａに形成されている。
さらに詳述すると、図５に示すように、グローブ１１の底面部１１Ａには、このグローブ１１を支持体７にボルト２０により取り付けるための取付金具５１が取り付けられている。この取付金具５１は、グローブ１１の底面部１１Ａの内側及び外側のそれぞれに設けられた２枚のプレート板５１Ａ、５１Ｂを有し、これらのプレート板５１Ａ、５１Ｂがネジ５３により締結されている。また、これらのプレート板５１Ａ、５１Ｂには、取付孔５５が設けられており、この取付孔５５に上記ボルト２０が螺合して支持体７との取り付けが行われる。
【００１９】
また、図５に示すように、グローブ１１の底面部１１Ａには、上記通気孔４１が形成されており、この通気孔４１がプレート板５１Ａ、５１Ｂに挟まれる構成となっている。プレート板５１Ａ、５１Ｂのそれぞれには、通気孔４１に対応する箇所に、貫通孔５７Ａ、５７Ｂが形成されており、通気孔４１を通して、グローブ１１の内外を空気が出入り可能になされている。
また、プレート板５１Ａ、５１Ｂとの間には、湿気の浸入を抑制する機能を有する通気性材である除湿フィルタシート５９が設けられており、この除湿フィルタシート５９が通気孔４１を覆って塞ぐことで、通気孔４１を流通する空気から湿気が除湿フィルタシート５９に除去されるようになっている。この除湿フィルタシート５９は、たとえばフッ素樹脂、ポリエチレン等を多孔質化したものをシート状に形成して成り、水の分子の通過を阻止しつつ空気を自由に通過させることができる通気性材である。
このような除湿フィルタシート５９を通気孔４１に設けることにより、通気孔４１を通じてグローブ１１の内外で空気が流通して、ランプ点灯時の熱の籠りが防止されると共に、除湿フィルタシート５９により、グローブ１１内への湿気や水分、粉塵等の浸入が防止される。
また、除湿フィルタシート５９を、取付金具５１のプレート板５１Ａ、５１Ｂとで挟み込む構成としているため、除湿フィルタシート５９が剥がれ落ちることがない。
なお、上記通気孔４１に、除湿フィルタシート５９と同等の機能を有する素材を充填しても良い。
【００２０】
ここで、前掲図１に示すように、本実施形態では、グローブ１１の表面に、模様や図形、文字、記号等の絵柄６０を設けられている。この絵柄６０は、ランプ１９を点灯したときにグローブ１１の表面に浮かび上がるようになされており、これにより、ランプ点灯時の屋外用照明装置１の意匠性が高められている。
このとき、グローブ１１内に湿気が籠ることがないため、グローブ１１の内側に結露等により水滴が付着することがなく、また、粉塵の浸入も防止されるため、グローブ１１の内側に、汚れが付着することも無い。したがって、ランプ点灯時に、水滴や汚れなどにより、グローブ１１の絵柄６０の意匠性が損なわれることが無い。
【００２１】
上記のような絵柄６０は、グローブ１１の表面に、図６（Ａ）に示すように、絵柄６０の模様等に合わせて他よりも肉厚に形成した凸部６１により形成されている。したがって、この凸部６１における光の透過率が他の箇所よりも小さくなるため、ランプ点灯時には、絵柄６０が他よりも暗くなり、これにより、絵柄６０が浮かび上がって視認されるようになる。
なお、図６（Ｂ）に示すように、絵柄６０の模様等に合わせて他よりも肉薄にした凹部６２により絵柄６０を形成しても良く、また、凸部６１及び凹部６２の組み合わせにより絵柄６０を形成しても良い。これによれば、凹部６２における光の透過率が他の箇所よりも大きくなるため、ランプ点灯時には、絵柄６０が他よりも明るくなって視認されるようになる。
【００２２】
以上説明したように、本実施形態によれば、ポール２の先端部５とグローブ１１との取付部分、より詳細には、ポール２の先端のポールホルダ３の先端部５と、この先端部５に設けられた支持体７との間に防水用パッキン３０を設け、さらに、グローブ１１の底面部１１Ａには湿気の浸入を抑制する機能を有する除湿フィルタシート５９で覆われた通気孔４１を設ける構成としている。
この構成により、ポール２及びポールホルダ３の内部を伝った地面の湿気が防水用パッキン３０により遮られ、地面の湿気がグローブ１１内に浸入することが防止される。
また、通気孔４１を通じてグローブ１１の内外で空気が流通して、ランプ点灯時の熱の籠りが防止されると共に、除湿フィルタシート５９により、グローブ１１内への湿気や水分、粉塵等の浸入が防止される。
【００２３】
また本実施形態によれば、防水用パッキン３０には、ポールホルダ３の先端部５に設けた蓋板２５の開口２５Ａと、支持体７のポール受け部７Ａに設けた開口２６とのそれぞれを閉塞する蓋板閉塞部３８及び支持体閉塞部３７を設ける構成とした。
これにより、ポール２の先端のポールホルダ３の先端部５から内部への浸水が防止されると共に、グローブ１１が密封される。
【００２４】
また本実施形態によれば、防水用パッキン３０を、ポールホルダ３の径よりも大きく形成し、防水用パッキン３０の縁部３５Ａをポールホルダ３の先端と支持体７との間で挟み込んだ構成としたため、ポールホルダ３の先端と支持体７との間での防水性が高められる。
【００２５】
また本実施形態によれば、ポールホルダ３の先端部５の内側に設けた蓋板２５の溶接個所Ｓを避ける凹部３３Ａを防水用パッキン３０に設ける構成としたため、溶接個所Ｓにかかわらず蓋板２５と防水用パッキン３０との密着性を維持することができる。
【００２６】
また本実施形態によれば、グローブ１１の表面に、肉厚を厚くした凸部６１からなる絵柄６０を形成し、この凸部６１とグローブ１１の他の個所における光の透過率の差により、ランプ１９の点灯時に、グローブ１１の表面に形成した絵柄６０が視認されるようにしたため、屋外用照明装置１の意匠性が高められる。
特に、本実施形態では、グローブ１１内への湿気や粉塵の浸入が防止されているため、グローブ１１の内部に水滴やゴミが付着することが無く、以って、グローブ１１の表面に形成された絵柄６０の意匠性が損なわれることが無い。
【００２７】
なお、上述した実施の形態は、あくまでも本発明の一態様を示すものであり、本発明の範囲内で任意に変形および応用が可能であることは勿論である。
【図面の簡単な説明】
【００２８】
【図１】本発明の実施形態に係る屋外用照明装置の構成を示す図。
【図２】屋外用照明装置の断面図。
【図３】ポール及び支持体の連結部分を拡大して示す図。
【図４】防水用パッキンの構成を示す図であり、（Ａ）は上面図（平面図）、（Ｂ）は側面図、（Ｃ）は底面図である。
【図５】グローブに設けた通気孔を示す図。
【図６】グローブの表面の絵柄を構成する凹凸を拡大して示す図。
【符号の説明】
【００２９】
１  屋外用照明装置
２  ポール
３  ポールホルダ
３Ａ  基部
３Ｂ  連結筒部
５  先端部
７  支持体
７Ａ  ポール受け部
９  ランプソケット
１１  グローブ
１１Ａ  底面部
１９  ランプ
２１  底面開口
２５  蓋板
２５Ａ、２６  開口
３０  防水用パッキン
３７  支持体閉塞部
３８  蓋板閉塞部
３９  電気コード挿通孔
４１  通気孔
５９  除湿フィルタシート（通気性材）
６０  絵柄
６１  凸部
６２  凹部
【図１】
0005023933.tif 000002
【図２】
0005023933.tif 000003
【図３】
0005023933.tif 000004
【図４】
0005023933.tif 000005
【図５】
0005023933.tif 000006
【図６】
0005023933.tif 000007